(57)【特許請求の範囲】
【請求項１】
把持部より下方へ棒状に長く伸び出す柄部の下端側に該柄部と横方向に交差する揺動軸線を有する容器の揺動支持部を備える柄と、深く窪んだ内壁部と平坦な開口部と該開口部の横壁に設けられ横方向の揺動軸線を有する蓋の揺動支持部と後壁に設けられ前記容器の揺動支持部に上下方向に揺動可能に嵌め合わされた支持ボス部と該支持ボス部の後側に突出したレバー部を備える容器と、容器の開口部の内側を被う周縁手段と該周縁手段の内側の被い部と周縁部付近の横壁に設けられ前記蓋の揺動支持部に容器と対向方向に陽動可能に嵌め合わされた揺動ボス部と周縁部の前壁側に設けられたリンクボス部を備える蓋と、柄部上に上下方向に移動可能に保持されその上部側に操作部を備えその下部側にリンク保持部を備える容器と蓋の操作ロッド手段と、その上端部を前記リンク保持部に回転自在に連結されその下端部を容器の前記レバー部に回転自在に連結された後リンクと、その上端部を前記リンク保持部に回転自在に連結されその下端部を蓋の前記リンクボス部に回転自在に連結された前リンクを備えることを特徴とする犬糞等の捕捉運び器具。
【請求項２】
把持部より下方へ棒状に長く伸び出す柄部の下端側で該柄部と横方向に交差する揺動軸線を有する容器の揺動支持部と柄部の下部側で蓋の上部側へ伸び出すように設けられた前リンク保持部を備える柄と、深く窪んだ内壁部と平坦な開口部と該開口部の横壁に設けられ横方向の揺動軸線を有する蓋の揺動支持部と後壁に設けられ前記容器の揺動支持部に上下方向に揺動可能に嵌め合わされた支持ボス部と該支持ボス部の後側に突出したレバー部を備える容器と、容器の開口部の内側を被う周縁手段と該周縁手段の内側の被い部と周縁部付近の横壁に設けられ前記蓋の揺動支持部に容器と対向方向に陽動可能に嵌め合わされた揺動ボス部と周縁部の前壁側に設けられたリンクボス部を備える蓋と、柄部上に上下方向に移動可能に保持されその上部側に操作部を備えその下部側にリンク保持部を備える容器側の操作ロッド手段と、その上端部を前記リンク保持部に回転自在に連結されその下端部を容器の前記レバー部に回転自在に連結された後リンクと、その上端部を前記前リンク保持部に回転自在に連結されその下端部を蓋の前記リンクボス部に回転自在に連結された前リンクを備えることを特徴とする犬糞等の捕捉運び器具。
【請求項３】
把持部より下方へ棒状に長く伸び出す柄部の下端側で該柄部と横方向に交差する揺動軸線を有する容器の揺動支持部を備える柄と、深く窪んだ内壁部と平坦な開口部と該開口部の横壁に設けられ横方向の揺動軸線を有する蓋の揺動支持部と後壁に設けられ前記容器の揺動支持部に上下方向に揺動可能に嵌め合わされた支持ボス部と該支持ボス部の後側に突出したレバー部を備える容器と、容器の開口部の内側を被う周縁手段と該周縁手段の内側の被い部と周縁部付近の横壁に設けられ前記蓋の揺動支持部に容器と対向方向に陽動可能に嵌め合わされた揺動ボス部と周縁部の前壁側に設けられたリンクボス部を備える蓋と、柄部上に上下に移動可能に保持されその上部側に容器側操作部を備えその下部側に後リンク保持部を備える容器側操作ロッド手段とその上端部を前記後リンク保持部に回転自在に連結されその下端部を容器の前記レバー部に回転自在に連結された後リンクからなる容器側操作手段と、柄部上に上下に移動可能に保持されその上部側に蓋側操作部を備えその下部側に前リンク保持部を備える蓋側操作ロッド手段とその上端部を前記前リンク保持部に回転自在に連結されその下端部を蓋の前記リンクボス部に回転自在に連結された前リンクからなる蓋側操作手段を備えることを特徴とする犬糞等の捕捉運び器具。
【請求項４】
操作ロッド手段がリンク保持部の前リンクの連結部周りに、蓋の閉止点前付近で蓋を閉止する方向に押す前リンク押え手段を備えることを特徴とする請求項１記載の犬糞等の捕捉運び器具。
【請求項５】
柄部の下部を含む操作ロッド手段の下部と前リンク間に少なくとも容器の全開時に前リンクを一定の力で蓋の閉止方向に押す前リンク押し戻し手段を備えることを特徴とする請求項１又は２記載の犬糞等の捕捉運び器具。
【請求項６】
蓋がその周縁部に容器の内壁面に接する外鍔部の周縁手段を備える柔軟な部材で造られている請求項１又は２又は３記載の犬糞等の捕捉運び器具。
【発明の詳細な説明】
【技術分野】
【０００１】
本発明は、犬等の散歩の際に持ち歩き、その糞を捕捉しそれを決められた場所に排出するための犬糞等の犬糞等の捕捉運び器具に関する。
【背景技術】
【０００２】
従来、犬の糞の捕捉と持ち帰りのための器具が販売されている。これらの多くは、地面上にある犬の糞を掬い取る、あるいは挟み取る器具と糞を入れる袋等からなっているものが主である。登録実用新案第３０５１１６０号の携帯型ペット糞捕集器は伸縮出来る把手の先のヒンジ部に支持された掛止環部にビニール袋を取り付けるようになっている。これらは掛止環部に手を触れる必要があり、又、携帯して持ち歩くには不便で、人目にも抵抗を感ずる欠点がある。米国特許第４０４２２６９号の清潔な動物糞の除去装置、米国特許第４５５５１３２号の携帯用の犬の便器等は手元の握り部より伸びる柄部の端にカップ状の受容器を糞の捕捉に適した傾きで固定に備え、該受容器の上部に手元で開閉操作出来るようにしたちょうつがい式に動く蓋を備えるものである。
２００５年６月３０日公開されたＰＣＴ／ＪＰ２００４／０１８６８７号に開示されるものは、柄の先に揺動する受容器を備え蓋が被さる時に受容器が柄部と略直角に上向きになり、糞の排出の時に柄部と略平行に前向きに大きく開き、その開閉の間の位置で受容器が糞の捕捉に適した傾きで開くものであり、大別して２種類のものが示されている。一つは蓋と受容器が受容器の開口部内の横の支持点の周りで互いに対向方向に揺動回転してその開口部を開閉するものであり、もう一つは蓋と受容器が受容器の開口部の片側の各々の支持点上で互いに対向方向に扇形（セクタ）に揺動してその開口部を開閉するものである。
【特許文献１】登録実用新案第３０５１１６０号広報
【特許文献２】米国特許第４０４２２６９号広報
【特許文献３】米国特許第４５５５１３２号広報
【特許文献３】ＰＣＴ／ＪＰ２００４／０１８６８７号
【発明の開示】
【発明が解決しようとする課題】
【０００３】
前述に挙げた従来の器具の欠点は、受容器が糞の捕捉に適した傾きに固定されているので糞の排出がやり辛いことである。その結果、受容器の底をも開くようにするなどの複雑化を招く。又、糞の捕捉後に垂直に提げて持ち歩く際に、受容器の開口部側が横に傾くので蓋を確り閉止するように構造上の点からも、使用に際しても神経を使わねばならないことである。さらに、小さい受容器の内側に付着した糞の除去や清掃がやり難いことである。
従来から市販されている犬の糞の捕捉運び器具等は、一般に扱い辛い上にこれらを持ち運ぶにも見目が悪く敬遠される欠点があった。
前述のＰＣＴ／ＪＰ２００４／０１８６８７号で開示のものは、蓋が被さる時に受容器が柄部と略直角に上向きになり、糞の排出の時に柄部と略平行に前向きに大きく開き、その開閉の間の位置で受容器が糞の捕捉に適した傾きで開くことが出来る特長がある。
しかし、前述の２種類の実施例の中の一つのものは、蓋による受容器内の糞の掻き出しが行える利点をそなえるけれども、受容器と蓋の揺動支点を支持する横の腕部と前後方向の操作リンクを要するので、受容器の周りのブラッシング清掃が行いにくい欠点がある。もう一つのものは、蓋による受容器内の糞の掻き出しが行えない欠点がある。
本発明の目的は、容器の外周りに支持部材、操作部材が少なく、水洗いの際に容器外周りのブラッシング清掃が行い易い犬糞等の捕捉運び器具を提供するにある。
本発明の他の目的は、容器と蓋の支持点が分離していて密実であり、より構造簡単で且つ蓋による容器内の糞の掻き出しが行える犬糞等の捕捉運び器具を提供するにある。
本発明の他の目的は、糞の捕捉と収納そして排出の操作に優れ、しかもその形体、美観にも優れており犬の散歩に携帯するにも抵抗を感ずることない犬糞等の捕捉運び器具を提供するにある。
本発明の他の目的は、操作部の簡単な操作で受容器が捕捉しやすい向きに開き、捕捉した後は蓋をして運びやすいような向きに保たれ、手に持ったまま簡単な操作で受容器を排出しやすい向きに大きく開くことが出来る犬糞等の捕捉運び器具を提供するにある。
本発明のさらに他の目的は、犬の散歩等の際に持ち歩きやすくしかも捕捉や排出の操作がしやすい把持部と操作部を有する犬糞等の捕捉運び器具を提供するにある。
本発明のさらに他の目的は、器内に雨水などが侵入し難く、且つ犬糞等の臭いが外部にもれない犬糞等の捕捉運び器具を提供するにある。
【課題を解決するための手段】
【０００４】
上記目的を達成するために、本発明の犬糞等の捕捉運び器具は、把持部より下方へ棒状に長く伸び出す柄部の下端側に、該柄部と横方向に交差する揺動軸線を有する容器の揺動支持部を備える柄と、深く窪んだ内壁部と平坦な開口部と、該開口部の横壁に設けられ横方向の揺動軸線を有する蓋の揺動支持部と後壁に設けられ前記容器の揺動支持部に上下方向に揺動可能に嵌め合わされた支持ボス部と、該支持ボス部の後側に突出したレバー部を備える容器と、容器の開口部の内側を被う周縁手段と、該周縁手段の内側の被い部と周縁部付近の横壁に設けられ前記蓋の揺動支持部に容器と対向方向に陽動可能に嵌め合わされた揺動ボス部と、周縁部の前壁側に設けられたリンクボス部を備える蓋と、柄部上に上下方向に移動可能に保持されその上部側に操作部を備えその下部側にリンク保持部を備える容器と蓋の操作ロッド手段と、その上端部を前記リンク保持部に回転自在に連結されその下端部を容器の前記レバー部に回転自在に連結された後リンクと、その上端部を前記リンク保持部に回転自在に連結されその下端部を蓋の前記リンクボス部に回転自在に連結された前リンクを備えることを特徴とする。
【０００５】
また、本発明の犬糞等の捕捉運び器具は、把持部より下方へ棒状に長く伸び出す柄部の下端側に、該柄部と横方向に交差する揺動軸線を有する容器の揺動支持部と柄部の下部側で蓋の上部側へ伸び出すように設けられた前リンク保持部を備える柄と、深く窪んだ内壁部と平坦な開口部と、該開口部の横壁に設けられ横方向の揺動軸線を有する蓋の揺動支持部と後壁に設けられ前記容器の揺動支持部に上下方向に揺動可能に嵌め合わされた支持ボス部と、該支持ボス部の後側に突出したレバー部を備える容器と、容器の開口部の内側を被う周縁手段と、該周縁手段の内側の被い部と周縁部付近の横壁に設けられ前記蓋の揺動支持部に容器と対向方向に陽動可能に嵌め合わされた揺動ボス部と、周縁部の前壁側に設けられたリンクボス部を備える蓋と、柄部上に上下方向に移動可能に保持されその上部側に操作部を備えその下部側にリンク保持部を備える容器側の操作ロッド手段と、その上端部を前記リンク保持部に回転自在に連結されその下端部を容器の前記レバー部に回転自在に連結された後リンクと、その上端部を前記前リンク保持部に回転自在に連結されその下端部を蓋の前記リンクボス部に回転自在に連結された前リンクを備えるものとすることも出来る。
即ち、前リンクの上端部を上下に移動させないで柄部側に固定したままで実施することも出来る。
【０００６】
上記容器と蓋の操作手段は、柄部上に上下に移動可能に保持され上部側の容器側操作部と下部側の後リンク保持部を備える容器側操作ロッド手段とその上端部を後リンク保持部に回転自在に連結されその下端部を容器のレバー部の端に前後に回転自在に連結された後リンクからなる容器側操作手段と、柄部上に上下に移動可能に保持され上部側の蓋側操作部と下部側の前リンク保持部を備える蓋側操作ロッド手段とその上端部を前リンク保持部に回転自在に連結されその下端部を蓋のリンクボス部に前後に回転自在に連結された前リンクからなる蓋側操作手段を備えるものとすることが出来る。
糞の捕捉の際に、先に蓋側操作手段で蓋を全開にしておけば、容器側操作手段を操作することで柄に対する容器の開口部の傾きを希望するように設定出来る。そして糞の捕捉後、蓋を全閉止側にしておけば、容器側操作手段を操作することで本発明の特徴とする柄に垂直な向きを保っての容器開口部の閉止と容器開口部を柄と平行に前向きにした状態での蓋による糞の掻き出し排出が行われる。
【０００７】
さらに、操作ロッド手段のリンク保持部の前リンクの連結部周りに、蓋の閉止点前付近で蓋を閉止する方向に押す前リンク押え手段を設けることで蓋を確りと閉止することが出来る。
【０００８】
又、柄部の下部を含む操作ロッド手段の下部と前リンク間に少なくとも容器の全開時に前リンクを一定の力で蓋の閉止方向に押す前リンク押し戻し手段を設けることで容器の全開時における操作ロッド手段の閉止方向への立上げを円滑にすることが出来る。
【０００９】
上記容器の内壁部は、必ずしもそのように限定するものではないが、なるべくは開口部の形を蓋の揺動支持部を回転軸として回転させた半回転形の形に窪むように形成されることが望ましい。そこで、糞の排出の際に、蓋の周縁手段は容器の内壁部の窪みに沿って掻くように動き、内壁部に付着するものも同時に掻き出す。
【００１０】
操作ロッド手段の操作部に柄部と交差する方向に突出する操作レバーと、操作レバーの内側下部に揺動保持手段により支持され前後方向にシーソーに揺動運動しその下端に柄部に突出する止めピンを備えるくの字形の止めレバーを設け、柄部の操作部側の外周部の止めピンの突出する位置に開けた止め孔を設けると良い。
【００１１】
上記蓋はその周縁部に容器の内壁面に接する外鍔部の周縁手段を備える柔軟な部材で造ることが出来る。
【００１２】
本発明の器具は、主として犬がまさに排糞中のところに立位ないし、いくぶん腰を屈めるようにして犬の糞口の下に受容器の上部の開口部を近づけて器内にその糞を捕捉するものである。
従って、柄部の長さは十分な長さが望ましく、目で確かめながら捕捉器の前部の開口部を犬の糞口の下にあてがう。その際に、柄部の角度は平坦な地面の垂線に対し４５°程度が適当である。
【発明の効果】
【００１３】
容器の支持部材が容器の後部位置にあり、一本のリンクが容器上部の中央部を前後に伸びているだけであって、容器の外側のブラッシングに邪魔にならず清掃が行い易い。
【００１４】
容器がその後側の一点を柄の先の容器の揺動支持部に支持され、蓋が容器の開口部の横壁の簡単なピンの蓋の揺動支持部で支持されており、蓋の揺動支持部が容器の揺動支持部の周りを揺動することで蓋の開閉及び糞の掻き出しが行われる。容器周りの支持構造と操作部材が簡単で、且つ軽量である。
【００１５】
長い柄部の先に支持され対向に揺動する容器と蓋が手元の操作部の簡単な操作で捕捉しやすい向きに開き、捕捉した後は蓋をして運びやすいような向きに保たれ、手に縦に持ったまま容器を大きく傾けて開き、且つ容器内の糞を蓋で掻き出すようにした排出を行うことが出来る犬糞等の捕捉運び器具が得られる。この効果は容器と蓋が別々に独立に操作される場合でも、又蓋側の前リンクの上端を移動させないで一定の位置に保ったままでも得ることが出来る。
【００１６】
容器と蓋を独立して操作出来るようにすることによって、糞の捕捉の際に、先に蓋側操作手段で蓋を全開側にしておくことで、容器側操作手段を操作して柄に対する容器の開口部の傾きを希望するように設定出来る。そして糞の捕捉後に先に蓋を全閉止側にしておけば、容器側操作手段を操作するだけで本発明の特徴とする柄に垂直な向きを保っての容器開口部の閉止と容器を柄と平行に前向きに傾けた状態での蓋による糞の掻き出し排出が実行出来る。
【００１７】
又、蓋側操作手段を操作せず容器側操作手段のみを操作するようにし、あるいは蓋側の前リンクの上端を柄部の一部の一定位置に保持する構造とすることで一層構造の簡素化、部品形状の単純化が図られる。
【００１８】
さらに、蓋を周縁部に受容器の内壁面に接する外鍔部を備えるゴム系の成形品等とすることで、容器の開口部が密閉され、雨水等の侵入や臭気の洩れも少なく、ガタのない確りした犬糞等の捕捉運び器具が得られる。
【発明を実施するための最良の形態】
【００１９】
柄の先に横方向の揺動軸線を有する容器の揺動支持部を設け、深く窪んだ内壁部と平坦な開口部を有しその開口部の横壁に横方向の揺動軸線を有する蓋の揺動支持部と後側の支持ボス部を備える容器を容器の揺動支持部に上下方向に揺動可能に支持せしめ、容器の開口部の内側を被う周縁手段と内側の被い部を有する蓋を蓋の揺動支持部に容器と対向方向に揺動可能に支持せしめ、容器の支持ボス部の後側の一部を後リンクを介して柄部上に上下に移動可能に設けた操作ロッド手段と連結し、蓋の前側のリンクボス部を前リンクを介して上部の操作ロッド手段ないし柄部に固定される前リンク支持部と連結し、操作ロッド手段の操作部の操作により蓋が被さる時に受容器が柄部と略直角に上向きになり、糞の排出の時に柄部と略平行に前向きに大きく開いて蓋で中の糞を掻き出し、その開閉の間の位置で糞の捕捉が出来るようにした。
【実施例１】
【００２０】
図１〜６に一実施例を示す。柄１は真直ぐに伸びる柄部２とその手元の前後方向にＴ字形をなす把持部１′と柄部２の先に設けた容器の揺動支持部となる容器支持ピン４から成っている。容器支持ピン４は柄部２に対し横に交差する方向の揺動軸線３を有する一個のピンである。
容器支持ピン４の前部に揺動軸線３と略平行に開く平坦な円形の開口部６と半球形に深く窪んだ内壁部７を有するお椀状の容器８がある。該容器８はその後側の開口部６近くに後方に突出するように設けられたレバー部２７を有し、該レバー部２７の内側位置の支持ボス部を容器支持ピン４に嵌め合わされて揺動軸線３の周りに揺動可能に支持されている。容器８の開口部６の左右の横壁には蓋の揺動支持部となる蓋支持ピン４′が設けられている。該蓋支持ピン４′は容器の揺動軸線３と平行な蓋の揺動軸線３′上にある。
容器８の上部には、蓋の揺動軸線３′と略平行且つ開口部６の内側を密に接近して覆う周縁手段９と内側の被い部１０を有する蓋１１がその周縁部付近の横側を蓋支持ピン４′に嵌め合わされて蓋の揺動軸線３′の周りに揺動可能に支持されている。蓋の周縁手段９の部分には容器の開口部６の内側にぴったり密接するシールリング２０が嵌まっている。容器支持ピン４に支持される容器８の後側のレバー部２７の端にレバーピン２８を介して後リンク１２の下端部が前後に回転自在に連結されている。一方、蓋１１の前端部に内側へ窪んだリンクボス部２９が設けてあり、該リンクボス部２９にリンクピン３０を介して前リンク１３の下端部が前後に回転自在に連結されている。
容器と蓋の操作手段は柄部２に設けてある。柄部２にはパイプで造られた操作ロッド手段１６が上下に滑動可能に嵌め合わされている。該操作ロッド手段１６の下部にはリンク保持部１４が設けてあり、後リンク１２と前リンク１３の各々上端側を後リンク保持ピン３１及び前リンク保持ピン３２を介して前後方向に回転自在に連結して保持している。
操作ロッド手段１６の上端部にはロッド端に交差方向に方形の板状ないし円板状に伸びる操作レバー２１が固定に設けてあり、操作部１５をなしている。操作レバー２１の内側下部には該操作レバー２１にピン２２の揺動保持手段により支持され前後方向にシーソーに揺動するくの字形の止めレバー２３が設けてある。該止めレバー２３はその下端に前方に突出する止めピン３３を備えている。一方、柄部２には操作部１５側の外周部に下から順に止め孔３４、３５、３６が設けてある。
そこで、把持部１′を持つ手の指で操作レバー２１を操作して操作ロッド手段１６を符号Ｌから符号Ｔまでの間を上下に移動させることが出来る。
図４は柄部２が垂直方向に対して４５°後ろ側に傾いた状態で、操作レバー２１がＭの位置にある状態で描かれている。図示の位置において容器８と蓋１１は後側に傾いており、排糞中の捕捉に適した向きで開口部６の前側が開かれている。立位ないし、いくぶん腰を屈めるようにして犬３７の糞口の下に容器の開口部６をあてがって器内にその糞を捕捉する。捕捉後は操作レバー２１をＬの位置に移動させる。操作レバー２１がこの位置に保持される時に、容器８が柄部２と略直角に上向きになり開口部６は図１で示される位置になる。一方、蓋１１は容器８の内側で下向きに被さって周縁手段９が開口部６を塞いでいる。図１はこの蓋がされ柄部２を縦（垂直）にした状態を示している。止めレバー２３は押されて止めピン３３は下の止め孔３４に嵌まっており、操作ロッド手段１６は動きが止められて容器８と蓋１１を動かないように保持している。
通常は、この縦にした状態で持ち歩く。容器８は略水平になり蓋１１は確りと塞がれており、糞がこぼれ出る恐れがない。
糞の排出も通常は図６で示すように、この縦にした状態で行うことが出来る。止めレバー２３を操作して止めピン３３を止め孔３４より外し、操作レバー２１を引いて符号Ｔの位置をまで移動させる。操作レバー２１がこの位置に保持される時に、容器８と蓋１１は柄部２の後ろ側に傾いて容器の開口部６と蓋１１は前方に大きく開かれる。この移動の際に、周縁手段９の後側は容器の内壁部７に沿って動き、容器８内の糞を付着するものも一緒に前方へ押出す。そして蓋１１は容器８の内側に重なって前方に開く。容器内は奇麗に保たれており、開かれた蓋の内側周りを水で洗浄すればよい。ここでも止めレバー２３を押して止めピン３３を上の止め孔３６に嵌めて容器８と蓋１１を動かないようにして保管することが出来る。容器８と蓋１１は柄部２に略直角から平行に至る大きな開閉揺動をする。
この例において、柄部２の上部側に該柄部２の壁に一端を固定された板バネに支持され該バネの弾力で操作ロッド手段１６の内壁側に飛び出す弾性体突起２４が設けてある。一方、操作ロッド１６の対応する部分の壁にはノッチ溝２５が設けてある。弾性体突起２４とノッチ溝２５は操作ロッド手段の移動範囲内で、容器８と蓋１１の前方側が捕捉角度向きに開いた位置で噛合うようになっている。そして、この噛合いは移動操作の際に一定以上の力をかけることで外せる抵抗保持手段２６になっている。これによって操作レバー２１が容器８と蓋１１の捕捉位置である符号Ｍ位置にきた時に噛合って移動操作に抵抗を与え、その位置にあることを感覚的に知らせる。この抵抗力は捕捉作業時の保持力に十分であるが、もし必要なら図１や図６のように止めレバー２３を押して止めピン３３を中位の止め孔３５に嵌めて容器８と蓋１１を動かないようにしておくことも出来る。これによって捕捉操作が一層やり易くなる。弾性体突起２４を操作ロッド１６側にノッチ溝２５を柄部２側に設けても同様である。
容器側の重量による操作ロッド手段を押し上げる力を軽減し、その上下操作力の均衡を得る目的で、操作ロッドのパイプの外部あるいは内部に柄部側との間で伸縮して作動するコイルバネ等の弾性手段を設けるなどのことは通常よく行われることであるから、ここではその実施例を示すことを省略する。
【実施例２】
【００２１】
図７〜９は本発明のさらに他の実施例を示す。以後の実施例では、実施例１に示されたものと同一の部分については同一の符号に
ａ、 ｂ、 ｃの添え字を付して示し、その詳しい説明を省略する。
この実施例では柄部２ａ上を上下に滑動する操作ロッド手段が容器側操作ロッド手段１６ａと蓋側操作ロッド手段１６ａ′とに分離されており、容器８ａと蓋１１ａが各々の操作ロッド手段により別々に操作される。容器側操作ロッド手段１６ａは柄部２ａの後側に位置して後リンク１２ａに連結されている。蓋側操作ロッド手段１６ａ′は柄部２ａの中心線を軸として容器側操作ロッド手段１６ａと対称の形で柄部２ａの前側に位置しており、前リンク１２ａに連結されている。容器側と蓋側の同一の部分には同一の符号に
′を付して示している。
図７では容器側操作レバー２１ａと蓋側操作レバー２１ａ′が共に限度一杯に下がったＬａとＬａ′の位置にあり、容器８ａが柄に直角に上向きとなり、その上部に蓋１１ａが被さってその周縁手段９ａが容器の開口部６ａを塞いでいる。図８はこの実施例の一つの特徴を示している。容器側操作レバー２１ａが限度一杯に上がったＴａの位置にあり、容器８ａが後側に大きく傾いて開口部６ａが前に垂直に開かれている。この時、蓋側操作レバー２１ａ′はＬａ′の位置に止まっているが、蓋１１ａは後側に回転して半ば以上が容器の内側に入り込んでおり、容器の内部の糞の殆どが排出される。図９では蓋側操作レバー２１ａ′も限度一杯に上がったＴａ′の位置に引き上げられており、蓋１１ａはその周縁手段９ａが開口部６ａの内側に垂直になって重なっており、容器の内側に重なった状態で前へ開かれている。このように糞の排出が２段階の操作で行われる。普通には容器の閉止、糞の捕捉時の開口も同様にして容器側を先に所望の位置に操作して行う２段階の操作で行われる。幾分手間が掛るようにも見えるが、各操作レバーの操作は位置が定まっていて感覚的に分かるので素早く行うことができる。又、前述のように容器側操作レバー２１ａの操作のみによっても本発明の目的とする柄部に垂直な閉止と蓋による糞の掻き出し排出、そしてその間での柄の適切な傾きを保っての糞の捕捉を行うことが出来るという特徴がある。糞の捕捉の際などに、もし望むなら容器側操作レバー２１ａと蓋側操作レバー２１ａ′を一方の手で同時に動かして、恰も前例の分離されないものと同じように操作することも可能である。
【実施例３】
【００２２】
図１０〜１１は本発明のさらに他の実施例を示す。この実施例では、容器の揺動支持部である容器支持ピン４ｂの位置と前リンク１３ｂの上端側を支持するリンク保持部１４ｂの前リンク保持ピン３２ｂの位置が異なっている。容器のレバー部２７ｂにある支持ボス部に嵌まる容器支持ピン４ｂの位置は下方に離れた位置にあり、前リンク保持ピン３２ｂの位置も後側へずれてリンク保持部１４ｂの中央位置にある。一方、蓋１１ｂのリンクボス部２９ｂは蓋１１ｂの周縁手段９ｂ側に入り込まない位置で被い部１０ｂの前壁部分より前方へ突出した形に形成されている。そして、前リンク１３ｂの下端部が該リンクボス部２９ｂの先端部にリンクピン３０ｂにより連結されている。
容器８ｂの開口部６ｂの前縁と後縁には、容器の全開時と全閉止時に蓋のリンクボス部２９ｂが進入する浅い前窪み４０と後窪み４１が形成されている。該前窪み４０と後窪み４１は容器の閉止時に蓋のシールリングの上部に溜る雨水などの排出口も兼ねる。
各部の動きは実施例１と同じであり、同様の働きをする。蓋の造りやすい形に重点をおいた例である。又、糞の捕捉の際の開口部を大きく採れる利点もある。
【実施例４】
【００２３】
図１２〜１３は本発明のさらに他の実施例を示す。この実施例では、前リンク１３ｃの上端側を支持するピンの位置が更に異なっている。前リンク１３ｃの上端側は後リンク１２ｃの上端側を支持する後リンク保持ピン３１ｃに連結され、操作ロッド手段１６ｃの一つのピン上に前後のリンクの上端側が支持される。この例によれば、操作ロッド手段のリンク保持部１４ｃの構造は最も簡単である。
この例では、リンク保持部１４ｃの後リンク保持ピン３１ｃ部分に前リンク押え手段のねじりバネ４２が装着されている。該ねじりバネ４２はその一方の腕４３が操作ロッド手段１６ｃ側に、他方の腕４４が前リンク１３ｃ側に掛けられている。該ねじりバネ４２は容器が蓋で閉止される際に、上へ回ってくる前リンク１３ｃによって捻られその反発力で前リンク１３ｃを矢印４５で示すように下方へ軽く押す。これにより、シールリング２０ｃの摩擦による抵抗力に打ち勝って蓋１１ｃを矢印４６方向に回し、蓋をより一層確りと閉止することが出来る。このようにねじりバネ４２は閉止操作の終端における動きを円滑にする働きをする。前リンク押え手段はこの他にコイルバネや板バネ、あるいは各種の弾性体を操作ロッド手段１６ｃないし柄部２ｃの一部に設けて実施することも出来る。
この例では、さらに前リンク押戻し手段が設けられている。即ち、操作ロッド手段の下部に露出している柄部２ｃの前側の部分に前リンク１３ｃの後部に形成した後壁面４７部分が下降してくる位置に向かって出っ張る板バネ４８が装着されている。図１３に示すように板バネ４８は糞の排出時に容器の蓋が全開される時に、降下してくる前リンクの後壁面４７に当って押し下げられる。そこで、前リンク１３ｃは蓋が全開されている時には板バネ４８の弾力によって矢印４９で示すように前方へ押された状態にある。この時、ねじりバネ４２は前リンク１３ｃの下方への回転によりその捻りが弛められており、前リンク１３ｃを後方向へ回す力は軽微になっている。そこで操作ロッド手段をこの容器の蓋が全開される位置から容器を閉止する方向に操作する時に、前リンク１３ｃは板バネ４８の押す力に助勢されて蓋１１ｃと共に滑らかに前方へ動き出すことが出来る。このように板バネ４８は前リンク１３ｃの揺動方向の転向点（この点を越えると前リンク１３ｃが前方向へ戻らず柄部２ｃの後方側へ回る点）近くまで伸びきった前リンク１３ｃに前に押し戻す力を与えて操作部の閉止操作の立ち上げを円滑にする働きをする。この前リンク押戻し手段としてはこの他にねじりバネやコイルバネあるいは各種の弾性体、磁石の反発力などを用いて操作ロッド手段１６ｃないし柄部２ｃの一部に装着して実施し得る。
【実施例５】
【００２４】
図１４〜１５は本発明のさらに他の実施例を示す。前述の実施例２では、容器８ａと蓋１１ａが各々の操作ロッド手段により別々に操作された。そして図８の説明の中では、蓋側操作レバー２１ａ′が閉止位置Ｌａ′に留まったままでも容器側操作レバー２１ａの操作だけで容器の閉止から糞の排出までを行い得ることを示した。
ここでは、これをさらに一歩推し進め、蓋側のリンクである前リンクの上端側を適切な位置に常時留めるようにした実施例を示している。即ち、柄部２ｄの下部に蓋の上部へ伸びた前リンク保持部５０が形成されている。そして前リンク１３ｄは、その上端側が前リンク保持部５０の先端に前リンク保持ピン３２ｄを介して前後に揺動可能に連結されている。そこで、前リンク１３ｄの上端側は上下に移動することなく常にこの位置に保持される。図１５は糞の排出時の容器８ｄと蓋１１ｄの傾き状態を示している。ここで容器８ｄは後側に大きく傾いて開口部６ｄが前に略垂直に開かれている。そして蓋１１ｄは容器８ｄの中に深く入込んで外鍔部９ｄが中の糞を前方に掻き出して容器８ｄの内側に重なった状態にある。このように前リンク１３ｄの上端を保持する前リンク保持ピン３２ｄの位置を適切に選択することにより、容器側の操作ロッド手段１６ｄの操作のみによってこれまで示した実施例と同じように容器の閉止と糞の排出、そしてその間の位置での適切な量の容器の開口と柄を適切な傾きに保っての糞の捕捉を行うことが出来る。
ここでも前リンク１３ｄには蓋の全開時の戻りを円滑にする前リンク押戻し手段が設けてある。即ち、前リンク保持ピン３２ｄの位置にネジリバネ４２ｄが装着されている。該ネジリバネ４２ｄは前リンク１３ｄ側に掛るその腕４４ｄにより常に前リンク１３ｄを矢印４９ｄで示す方向に押している。これによって、容器側操作ロッド手段１６ｄの操作部を蓋の閉止する方向（下方向）に操作する時の立ち上げが円滑に行われる。ここでは、蓋１１ｄは柔軟性のあるゴムの成形品で造られており、周縁手段はその周囲が容器の内壁部に接する外鍔部９ｄを備えている。
【産業上の利用可能性】
【００２５】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々に助けになる。
【図面の簡単な説明】
【００２６】
【図１】実施例を示す捕捉運び器具の側面図で、蓋が被さった状態を柄部を縦にして示す図である。
【図２】図１の実施例の容器部周り部分を拡大して示す図である。
【図３】図２における３−３矢視図である。
【図４】図１の実施例の柄部を後方に４５°倒して示す側面図で、受容器が糞の捕捉に適した向きに開かれた図である。
【図５】図１の実施例の操作部周り部分を拡大して示す図である。
【図６】図１の実施例の側面図で、蓋と受容器がいっぱいに開かれた状態を柄部を縦にして示す図である。
【図７】他の実施例を示す捕捉運び器具の側面図で、蓋が被さった状態を柄部を縦にして示す図である。
【図８】図７の実施例の側面図で、容器側の操作レバーが一杯に引き上げられた状態を示す図である。
【図９】図７の実施例の側面図で、容器側の操作レバーと蓋側の操作レバーが共に一杯に引き上げられた糞の排出状態を示す図である。
【図１０】他の実施例で、蓋が被さった状態での容器とリンク周り部分を拡大して示す側面図である。
【図１１】図１０の実施例で、蓋が全開された状態での容器とリンク周り部分を拡大して示す側面図である。
【図１２】他の実施例で、蓋が被さった状態での容器とリンク周り部分を拡大して示す側面図である。
【図１３】図１２の実施例で、蓋が全開された状態での容器とリンク周り部分を拡大して示す側面図である。
【図１４】他の実施例で、蓋が被さった状態での容器とリンク周り部分を拡大して示す側面図である。
【図１５】図１４の実施例で、蓋が全開された状態での容器とリンク周り部分を拡大して示す側面図である。
【符号の説明】
【００２７】
１、１a  柄
１′、１a′  把持部
２、２ａ、２ｂ、２ｃ、２ｄ  柄部
３、３ｂ、３ｄ  容器の揺動軸線
３′、３′ｂ、３′ｄ  蓋の揺動軸線
４、４ａ、４ｂ、４ｃ、４ｄ  容器支持ピン
４′、４′ａ、４′ｂ、４′ｃ、４′ｄ  蓋支持ピン
６、６ａ、６ｂ、６ｃ、６ｄ  開口部
７、７ｄ  内壁部
８、８ａ、８ｂ、８ｃ、８ｄ  容器
９、９ａ、９ｂ、９ｃ  周縁手段
９ｄ  外鍔部
１０、１０ｂ、１０ｄ  被い部
１１、１１ａ、１１ｂ、１１ｃ、１１ｄ  蓋
１２、１２ａ、１２ｂ、１２ｃ、１２ｄ  後リンク
１３、１３ａ、１３ｂ、１３ｃ、１３ｄ  前リンク
１４、１４ｂ、１４ｃ  リンク保持部
１４ａ、１４ｄ  後リンク保持部
１４ａ′  前リンク保持部
５０  前リンク支持部
１５  操作部
１５ａ  容器側操作部
１５ａ′  蓋側操作部
１６、１６ｂ、１６ｃ  操作ロッド手段
１６ａ、１６ｄ  容器側操作ロッド手段
１６ａ′  蓋側操作ロッド手段
１８、１８ａ、１８ｂ、１８ｃ、１８ｄ  脚
２０、２０ｂ、２０ｃ  シールリング
２１  操作レバー
２１a  容器側操作レバー
２１a′  蓋側操作レバー
２２  ピン（揺動保持手段）
２３  止めレバー
２４  弾性体突起
２５  ノッチ溝
２６  抵抗保持手段
２７、２７ａ、２７ｂ、２７ｃ、２７ｄ  レバー部
２８、２８ａ、２８ｂ、２８ｃ、２８ｄ  レバーピン
２９、２９ａ、２９ｂ、２９ｃ、２９ｄ  リンクボス部
３０、３０ａ、３０ｂ、３０ｃ、３０ｄ  リンクピン
３１、３１ａ、３１ｂ、３１ｃ、３１ｄ  後リンク保持ピン
３２、３２ａ、３２ｂ、３２ｄ  前リンク保持ピン
３３  止めピン
３４、３５、３６  止め孔
４０、４０ｃ  前窪み
４１、４１ｃ  後窪み
４２、４２ｄ  ねじりバネ
４３，４３ｄ  腕
４４，４４ｄ  腕
４７  後壁面
４８  板バネ
５０  前リンク支持部
【図１】
0004625991.tif 000002
【図２】
0004625991.tif 000003
【図３】
0004625991.tif 000004
【図４】
0004625991.tif 000005
【図５】
0004625991.tif 000006
【図６】
0004625991.tif 000007
【図７】
0004625991.tif 000008
【図８】
0004625991.tif 000009
【図９】
0004625991.tif 000010
【図１０】
0004625991.tif 000011
【図１１】
0004625991.tif 000012
【図１２】
0004625991.tif 000013
【図１３】
0004625991.tif 000014
【図１４】
0004625991.tif 000015
【図１５】
0004625991.tif 000016